(57)【要約】      （修正有）【課題】座席中央者も、上半身無防備状態にならないようにシートベルト取付器具により、肩掛シートベルトの装着が出来る肩掛シートベルト取付器具を提供する。【解決手段】シートベルト取付器具１室内に、基部段ギアを設け、段ギア９の平面部に、沿うスライド盤８を設ける。段ギア９のギア面に、相対する、段ギア付きスライド盤１０を設けて、同時スライドを行なわせる。シートベルトの一端をシートベルト吊り金具の装着穴４に取りつけ、かつ他端を別途固定する。スライド盤８の上下動により、シートベルトの上下移動、停止を可能にする。シートベルト取付器具１を、後部座席背もたれ内部に、埋設設置を行うことにより、背高者は元より、背低者も背丈に合わせて、自在に装着出来るようになる。【選択図】図１
0003148229.tif 000002
【実用新案登録請求の範囲】
【請求項１】
座席背もたれ内部に埋設設置される、シートベルト取付器具であって、以下の構成を有する、基部段ギアを設ける、室内両サイド側面部位に、段ギアを平行配列設置を設ける、段ギアの平面部に沿って、上下式スライド盤を設ける、スライド盤の表面部に、ボックス把手を設ける、ボックス把手室内に、後述開閉軸とバネを設ける、開閉軸の一端に押しボタンを設ける、バネは開閉を掌る、更にボックス把手上部側面部に、シートベルト取付器具ウデを設ける、ウデの中腹部に、シートベルトの吊り金具の装着穴とネジ山を設ける、更に、段ギアのギア部に、係合段ギア付きスライド盤を設ける、段ギア付きスライド盤の表面部位に、上述開閉軸を立設させ、開閉軸の一端に押しボタンを設けることにより、上述スライド盤と段ギア付きスライド盤の合同係合により、上下スライドを密接に行ない、シートベルトの移動、停止を密に行なうことを特徴として、背低者も楽々装着出来ることを特徴とする。
【考案の詳細な説明】
【技術分野】
【０００１】    本考案は、シートベルト取付器具を設けて、後部座席背もたれ内部に、埋設設置される、ボックス支柱型のシートベルト取付器具に関する物である
【背景技術】
【０００２】    車両内部の、両サイドに、３点セットのシートベルトが設置されているが、上下スライドが微妙な為、背低者では不適当であり危険性が高く、座席中央者は、２点セットの、シートベルト故、緊急時の場合は、大変危険であり、又腰を２点セットの、シートベルトで、確り固定されていて、上半身は無防備の為、大変危険であり、不適当である。
【考案の開示】
【考案が解決しようとする課題】
【０００３】    シートベルト取付器具により、肩掛シートベルトの装着が出来る事により、座席中央者も、上半身無防備状態にならず、危険性がなく安全で、快適に同乗が出来、且運行出来る、目的を可能にした、前述の欠点を解決しようとするものである。
【課題を解決するための手段】
【０００４】    本考案は、シートベルト取付器具を設ける、前記シートベルト取付器具内部に、基部段ギアを設ける、前記段ギアをシートベルト取付器具内部の、両サイド側面部に、均等平行接着を行ない、前記段ギアと係合段ギア付きスライド盤を設ける、前記段ギア付きスライド盤の表面中央部位に、開閉軸を立設させ、一端はボックス把手内部を通過把手外部で、先端に押しボタンを設けるとともに、前記把手内部にバネを設ける、前記段ギアの平面部に、沿ったスライド盤を設ける、前記スライド盤表面部に、ボックス把手を設け接着させ、前記把手上部側面部に、前記シートベルト取付器具ウデを設ける、前記ウデの中腹部に、吊り金具の装着穴とネジ山を設ける。【０００５】    本体内部に、前記基部段ギアに係合する、前記段ギア付きスライド盤を設ける前記段ギア付きスライド盤の表面部位に、前記開閉軸を立設させて、開閉軸の一端に、前記押しボタンを設ける、シートベルトの、上下スライドは、前記段ギアと前記段ギア付きスライド盤が、接触を密に、上下移動、停止を密接に行なう事が可能に、又前記ボックス把手は係合す、前記段ギア付きスライド盤と、同時移動、停止を行なう事をもっとうに、シートベルトの上昇は、スライド式ボックス把手を、指押すると、自在に上昇可能で、降下の場合は、前記押しボタンを押し、前記ボックス把手を持って降下させ、移動、停止を自在にすることにより間題を解決する。
【考案の効果】
【０００６】    本考案に係る、シートベルト取付器具表面部に、前記ボックス把手スライド盤を形成させ、前記スライド盤付きボックス把手を設ける、尚且、前記ボックス把手部の側面部に、前記取付器具ウデを装着させると共に、ウデの中腹部位に、吊り金具用の装着穴と、ネジ山を設ける、前記シートベルトの装着を可能にした、更に、前記本体器具内部に、前記段ギア付きスライド盤を設け、前記外部にボックス把手スライド盤を設ける、同時スライドにより背高者は元より、背低者迄完全に、前記肩掛シートベルトの装着を可能にした、尚且前記段ギアに、前記段ギア付きスライド盤は、接触を密接に行ない、背丈に合わせて、移動、停止を密接に行なうことを特徴とする。
【考案を実施するための最良の形態】
【０００７】    本考案は、前記シートベルト取付器具を、前記座席背もたれ内部に、埋設設置を行ない、前記車両内、両サイド者は、元より中央者も、前記肩掛シートベルトの装着が可能になり、不使用時の際は、車内の美を保つ事を配慮して、背もたれ内部に隠ぺいして、又使用開始時は、シートベルト取出し口より、シートベルトを取出し、装着することを目的に、尚且シートベルトが、上下スライド式のため、低背者迄、背丈に合わせて、シートベルトの設定、装着が可能になった、但し、（低背者、チャイルドシートベルト使用者）を除く。【０００８】    車両内部に、通路を設定されてある車両で、通路側に、複数の座席が、等間隔に、配列設置されている、車両も同様で、シートベルト取付器具ボックス支柱型を、座席背もたれ内部に、埋設設置を設ける、通路側座席に、着席者も、肩掛シートベルトの装着が可能である。【０００９】    尚且、シートベルト取付器具が、背もたれ内部に、納まらず、背もたれ内部より、突出した場合は、座席シートと同材で、隠ぺいして、車両内部の空間の美を保つために、突出部の一端に何等かの模造を設けて、車両内の美を保ち、快適な運行出来ることは、最良の形態である。
【実施例】
【００１０】    以下、添付図に従って一実施例を説明する
１は、全品鉄材の素材で形成された、シートベルト取付器具１を設けて、内部に基部段ギア１を設ける、基部段ギア９を、器具１内部の両サイド側面に、平行配列設置を設ける、上部に基部段ギア９面に、係合段ギア付きスライド盤１０を設ける、段ギア９と密接に相対する状態を点線を用いて表示、更に基部段ギア９の平面部に沿って、上下スライドを行なうスライド盤８を設け、スライド盤８の表面部に、ボックス把手２を設け、把手２内部に押しボタン５とバネ７を納め、外部の側面部に、シートベルト取付器具ウデ３を設けて、接着させ、更にウデ３に吊り金具の装着穴４とネジ山４を設けた表示。【００１１】    ２は、前記シートベルト取付器具１を、前記後部座席背もたれ１１内部に、埋設設置を設けた状態と、前記シートベルト取付器具ボックス支柱型１内部全体を把握するため、断面図を設けて、図で説明すると、前記シートベルト取付器具１を、背もたれ内部に設置、器具１内部に、前記基部段ギア９と、段ギア付きスライド盤１０が、相対した、すきまを設けた状態【００１２】    前記段ギア付きスライド盤１０の、表面部位に、前記開閉軸６を設ける軸６の一端に、前記押しボタン５と、バネ７を設けて、上下作動を行なう、又前記基部段ギア９の、平面部に沿うた、前記スライド盤８を設け、前記スライド盤の表面部に、ボックス把手２を接着させ、内部に、前記開閉軸６と、バネ７を納め、前記ボックス把手２の側面部に、前記シートベルト取付器具ウデ３を接着、ウデ３に、装着穴４と、ネジ山４を設けた状態を、断面図で表示【００１３】    ３は、前記シートベルト取付器具１を、前記後部座席背もたれ１１内部に、前記器具１全体を埋設設置を設け、背もたれ１１内部に隠ぺいした状態を、点線を用いて表現して、更に前記シートベルトの取出し口１２を線を用いて表わした状態【００１４】    ４は、車両内部に、通路を、設けられてある、車両で、通路側に複数の座席が、設けられ等間隔に、配列設置されている、車両も同様で、前記シートベルト取付器具１を、背もたれ１１内部に、埋設状態を設け、点線で表示
尚且前記シートベルト取付器具１が長く、前記背もたれ内部に納まらず、背もたれ内部から突出した、前記シートベルト取付器具１を、座席シート１１と同材で、全体を隠ぺいした状態を点線で、表現、更に前記シートベルト取出し口１２を線を用いて設ける。【００１５】    ５は、前記後部座席背もたれ１１内部に、前記シートベルト取付器具１を、埋設設置を設ける、前記シートベルト取付器具１は、前記背もたれ内部に、納まらず、前記背もたれ１１内部から突出した、前記シートベルト取付器具１を設け、前記背もたれシート１１と同材で、シートベルト取付器具１全体を隠ぺいした状態を示し、更に前記シートベルト１５取出し口１２より、取出した、前記シートベルト１５の仮装着状態と、背低者の仮設定位置と仮装着状況を、前記シートベルト１５Ａで、示す状態【００１６】    本考案の一実施例は、上述の如き構成からなるものであるから、シートベルト取付器具ボックス支柱型を、後部座席背もたれ内部に、埋設設置を行うことにより、車両内部に設けるとともに、各車両に、上車した際は、全員シートベルトの装着が出来る様に考案されたものである。
【図面の簡単な説明】
【００１７】
【図１】  本考案の実施例を示す斜視図で、シートベルト取付器具と、器具内部に、構成された構造状態と、基部の構造状態を、点線で示す
【図２】  本考案の実施例を示す全体の構造状態を示す、断面図
【図３】  本考案の実施例を示す後部座席背もたれ内部に、シートベルト取付器具ボックス支柱型の、埋設設置を設けた状態を、点線を用いて表現する状態図
【図４】  本考案の実施例を示す、車両内部に、通路を設けられている車両で、通路例に面した、複数の座席が設けられている、座席背もたれ内部に、シートベルト取付器具ボックス支柱型の、埋設設置状態と、座席背もたれ内部から、シートベルト取付器具の、突出状況、更に突出した部分を、背もたれシートと同材で、隠ぺいした状態  更に、シートベルト取出し口を設けた状態を、線で示した表現図
【図５】  本考案の実施例を示す、座席背もたれ内部に、シートベルト取付器具ボックス支柱型の、埋設設置した状態、更にシートベルト取付器具ボックス支柱型が背もたれ内部から突出して、突出部全体を、背もたれシートと同材で隠ぺいした状況、更に、シートベルト取出し口より、取出して装着状態と、背低者の仮設定位置と、装着状態を点線で表す、表現図
【符号の説明】
【００１８】    １    シートベルト取付器具
２    ボックス把手
３    シートベルト取付器具ウデ
４    シートベルト吊り金具の装着穴とネジ山
５    押しボタン
６    開閉軸
７    バネ
８    スライド盤
９    段ギア
１１０    段ギア付スライド盤
１１    座席背もたれ
１２    シートベルト取出し口
１３    シートベルト取付器具ボックス支柱型の、埋設設置状態
１４    後部座席
１５    シートベルト
１５Ａ  背低者、仮設定、装着表現位置
１６    頭部もたし
【図１】
0003148229.tif 000003
【図２】
0003148229.tif 000004
【図３】
0003148229.tif 000005
【図４】
0003148229.tif 000006
【図５】
0003148229.tif 000007
【手続補正書】
【提出日】平成20年11月5日(2008.11.5)
【手続補正１】
【補正対象書類名】実用新案登録請求の範囲
【補正対象項目名】全文
【補正方法】変更
【補正の内容】
【実用新案登録請求の範囲】
【請求項１】
座席背もたれ内部に埋設設置される、シートベルト取付器具であって、以下の構成を有する、基部段ギアを設ける、室内両サイド側面部位に、段ギアを平行配列設置を設ける、段ギアの平面部に沿って、上下式スライド盤を設ける、スライド盤の表面部に、ボックス把手を設ける、ボックス把手室内に、開閉軸とバネを設ける、開閉軸の一端に押しボタンを設ける、バネは開閉を掌る、更にボックス把手上部側面部に、シートベルト取付器具ウデを設ける、ウデの中腹部に、シートベルトの吊り金具の装着穴とネジ山を設ける、更に、段ギアのギア部に、係合段ギア付きスライド盤を設ける、段ギア付きスライド盤の表面部位に、上述開閉軸を立設させ、開閉軸の一端に押しボタンを設けることにより、上述スライド盤と段ギア付きスライド盤の合同係合により、上下スライドを密接に行ない、シートベルトの移動、停止を密に行なうことを特徴として、背低者も楽々装着出来ることを特徴とするシートベルト取付け器具。